(57)【要約】  【課題】  ドアガラスの上昇端に位置するドアサッシュの上端側のコーナー部では、グラスラン本体の底面リップの接続部が切れ易い。  【解決手段】  ドアグラスラン本体５とドアグラスラン本体６とがコーナー部７を介して結合されており、ドアガラスを下げた状態では底面リップ７ａは底面リップ５ａから離れていて底面リップ５ａの先端部が撓んだときの位置よりも下方の位置に設定される一方、底面リップ７ａの端部には、撓んだ底面リップ５ａの先端部５ａｘの端部近傍と重合可能な先端部７ｅｘを有する延長リップ７ｅが一体成形され、ドアガラスを上昇させて閉じると、先端部５ａｘはドアガラスに押されて先端部７ｅｘに圧接される。  【選択図】  図１
2006240335.tif 000002
【特許請求の範囲】
【請求項１】
ドアサッシュに嵌合されるグラスラン本体と、該グラスラン本体の内部に設けられドアガラスの側端縁が当接する底面リップとを有し、直線部分を形成する押出成形部と、屈曲部分を形成する型成形部とを接合部で結合して一体化される自動車用グラスランにおいて、
前記型成形部内の前記底面リップを前記押出成形部内の前記底面リップの上方に配置すると共に、前記型成形部内の前記底面リップの先端部を、ドアガラス閉時に前記押出成形部内の前記底面リップの先端部が撓んだときの位置と、該撓んだときの位置よりも下方であって撓んだときに前記撓んだときの位置を占め得る位置との間の範囲に設定し、
前記型成形部内の前記底面リップの端部に、前記押出成形部内の前記底面リップの先端部の端部近傍と重合可能な先端部を有する延長リップを一体成形し、
ドアガラス閉状態において、前記押出成形部内の前記底面リップの先端部の端部近傍が前記延長リップの先端部に圧接されて密着することを特徴とする自動車用ドアグラスラン。
【請求項２】
請求項１に記載の自動車用ドアグラスランにおいて、
前記延長リップの先端部の肉厚を、先端へ向かって順次に小さくしたことを特徴とする自動車用ドアグラスラン。
【請求項３】
請求項１に記載の自動車用ドアグラスランにおいて、
前記延長リップの先端部の肉厚を、前記ドアガラス側の面を切り欠いて薄くしたことを特徴とする自動車用ドアグラスラン。
【請求項４】
ドアサッシュに嵌合されるグラスラン本体と、該グラスラン本体の内部に設けられドアガラスの側端縁が当接する底面リップとを有し、直線部分を形成する押出成形部と、屈曲部分を形成する型成形部とを接合部で結合して一体化される自動車用グラスランにおいて、
前記型成形部内の前記底面リップを前記押出成形部内の前記底面リップの上方に配置すると共に、前記型成形部内の前記底面リップの先端部を、ドアガラス閉時に前記押出成形部内の前記底面リップの先端部が撓んだときの位置と、該撓んだときの位置よりも下方であって撓んだときに前記撓んだときの位置を占め得る位置との間の範囲に設定し、
前記押出成形部内の前記底面リップの端部に、前記型成形部内の前記底面リップの先端部の端部近傍と重合可能な先端部を有する延長リップを一体成形し、
ドアガラス閉状態において、前記延長リップの先端部が前記型成形部内の前記底面リップの先端部の端部近傍に圧接されて密着することを特徴とする自動車用ドアグラスラン。
【請求項５】
請求項４に記載の自動車用ドアグラスランにおいて、
前記延長リップの先端部と前記型成形部内の前記底面リップの先端部の端部近傍との少なくともいずれか一方の肉厚を、先端へ向かって順次に小さくしたことを特徴とする自動車用ドアグラスラン。
【発明の詳細な説明】
【技術分野】
【０００１】
本発明は、自動車用ドアグラスランに関し、ドアガラスが上昇して閉状態にあるときに、上部のコーナー部で底面リップが切れるのを防止したものである。
【背景技術】
【０００２】
自動車のドアガラスを閉じたときに、車室の内外をシールするために、ドアサッシュ部にドアグラスランが嵌合されて保持されている。ドアグラスランは、押出成形により形成した直線部分である押出成形部どうしをほぼＬ字形に配置して成形金型に挿入し、押出成形部どうしの間をゴムで埋める型成形により型成形部を形成し、型成形部の形成と同時に該型成形部と押出成形部とを結合して一体化したものである。ドアグラスランには、遮音性向上の対策として、ドアガラスの側端縁に当接させる底面リップが形成されている。
【０００３】
従来の自動車用ドアグラスランは、以下の特許文献１に記載のように、ドアグラスラン本体の内壁面にガラス規制リップを形成し、ドアガラスが上昇する過程で、ガラス規制リップの撓み反力によりドアガラスを徐々に外側へ導き、ドアガラスをアウタリップに押し付けるようにしている。
【特許文献１】特開２００１−２１３１７１号公報（図４）
【発明の開示】
【発明が解決しようとする課題】
【０００４】
ところが、ドアガラスの側端縁に当接するガラス規制リップ同士もコーナー成形部で接続されており、ドアガラスを上昇させて閉状態にしたときにガラス規制リップの接続部に大きな引張り力が加わり、押出成形部のガラス規制リップとコーナー成形部のガラス規制リップとの接合部が切断され易い。
【０００５】
一方、押出成形部のガラス規制リップとコーナー成形部のガラス規制リップとを単に切り離すと、切り離した部分に中子が入るだけのクリアランスが必要なため、ガラス規制リップどうしの間に大きな隙間が生じる。
【０００６】
そこで本発明は、上記の課題を解決し、シールの連続性を確保し、かつ切れ等の問題が生じない自動車用ドアグラスランを提供することを目的とする。
【課題を解決するための手段】
【０００７】
請求項１に係る発明は、ドアサッシュに嵌合されるグラスラン本体と、該グラスラン本体の内部に設けられドアガラスの側端縁が当接する底面リップとを有し、直線部分を形成する押出成形部と、屈曲部分を形成する型成形部とを接合部で結合して一体化される自動車用グラスランにおいて、前記型成形部内の前記底面リップを前記押出成形部内の前記底面リップの上方に配置すると共に、前記型成形部内の前記底面リップの先端部を、ドアガラス閉時に前記押出成形部内の前記底面リップの先端部が撓んだときの位置と、該撓んだときの位置よりも下方であって撓んだときに前記撓んだときの位置を占め得る位置との間の範囲に設定し、前記型成形部内の前記底面リップの端部に、前記押出成形部内の前記底面リップの先端部の端部近傍と重合可能な先端部を有する延長リップを一体成形し、ドアガラス閉状態において、前記押出成形部内の前記底面リップの先端部の端部近傍が前記延長リップの先端部に圧接されて密着することを特徴とする。
【０００８】
このような自動車用ドアグラスランでは、ドアガラスを下げて開いたときには、押出成形部内の底面リップの先端部の端部近傍が延長リップから離れた状態となり、ドアガラスを上げて閉じると、ドアガラスが押出成形部内の底面リップの先端部の端部近傍を押圧し、該底面リップの先端部の端部近傍が延長リップの先端部に圧接され、両者が重合して一体化する。
【０００９】
請求項２に係る発明は、請求項１に記載の自動車用ドアグラスランにおいて、前記延長リップの先端部の肉厚を、先端へ向かって順次に小さくしたことを特徴とする。
【００１０】
このような自動車用ドアグラスランでは、延長リップの先端部の肉厚を、先端へ向かって順次に小さくしたので、ドアガラスが上がって底面リップの先端部の端部近傍が延長リップの先端部に圧接されたときに、底面リップの先端部の端部近傍と延長リップの先端部とが滑らかに重合して両者間の段差が小さく、ドアガラスと底面リップとの気密性・遮音性が確保される。
【００１１】
請求項３に係る発明は、請求項１に記載の自動車用ドアグラスランにおいて、前記延長リップの先端部の肉厚を、前記ドアガラス側の面を切り欠いて薄くしたことを特徴とする。
【００１２】
このような自動車用ドアグラスランでは、延長リップのドアガラス側の面を切り欠いて薄くしたので、ドアガラスが閉じられて底面リップの先端部の端部近傍が延長リップの先端部に圧接されたときに、底面リップの先端部の端部近傍と延長リップの先端部との重合部における段差が小さく、ドアガラスと底面リップとの気密性・遮音性が確保される。
【００１３】
請求項４に係る発明は、ドアサッシュに嵌合されるグラスラン本体と、該グラスラン本体の内部に設けられドアガラスの側端縁が当接する底面リップとを有し、直線部分を形成する押出成形部と、屈曲部分を形成する型成形部とを接合部で結合して一体化される自動車用グラスランにおいて、前記型成形部内の前記底面リップを前記押出成形部内の前記底面リップの上方に配置すると共に、前記型成形部内の前記底面リップの先端部を、ドアガラス閉時に前記押出成形部内の前記底面リップの先端部が撓んだときの位置と、該撓んだときの位置よりも下方であって撓んだときに前記撓んだときの位置を占め得る位置との間の範囲に設定し、前記押出成形部内の前記底面リップの端部に、前記型成形部内の前記底面リップの先端部の端部近傍と重合可能な先端部を有する延長リップを一体成形し、ドアガラス閉状態において、前記延長リップの先端部が前記型成形部内の前記底面リップの先端部の端部近傍に圧接されて密着することを特徴とする。
【００１４】
このような自動車用ドアグラスランでは、ドアガラスを下げて開いたときには、押出成形部の延長リップの先端部が型成形部内の底面リップの先端部の端部近傍から離れた状態となり、ドアガラスを上げて閉じると、ドアガラスが延長リップの先端部を押圧し、該延長リップの先端部が型成形部内の底面リップの先端部の端部近傍に圧接され、両者が重合して一体化する。
【００１５】
請求項５に係る発明は、請求項４に記載の自動車用ドアグラスランにおいて、前記延長リップの先端部と前記型成形部内の前記底面リップの先端部の端部近傍との少なくともいずれか一方の肉厚を、先端へ向かって順次に小さくしたことを特徴とする。
【００１６】
このような自動車用ドアグラスランでは、延長リップの先端部または型成形部内の底面リップの先端部の端部近傍の少なくともいずれか一方の肉厚を、先端へ向かって順次に小さくしたので、ドアガラスが閉じられて延長リップの先端部が底面リップの先端部の端部近傍に圧接されたときに、延長リップの先端部と底面リップの先端部の端部近傍とが滑らかに重合して両者間の段差が小さく、ドアガラスと底面リップとの気密性・遮音性が保持される。
【発明の効果】
【００１７】
本発明に係る自動車用ドアグラスランによれば、押出成形部内の底面リップと、型成形部内の底面リップとを接合部で分離したので、底面リップどうしが接合部で切断されるという問題がなくなる。また、ドアガラスが下がって開いた状態では押出成形部内の底面リップと型成形部内の底面リップとが離れており、ドアガラスが上昇して閉じた状態では押出成形部内の底面リップの先端部の端部近傍が延長リップの先端部に圧接されて密着するため、自動車用ドアグラスランの気密性および遮音性が確保される。
【００１８】
また、型成形部内の底面リップの端部に代えて、押出成形部内の底面リップの端部に延長リップを一体成形した場合も、前記と同じ効果がある。
【発明を実施するための最良の形態】
【００１９】
以下、本発明による自動車用ドアグラスランの実施の形態を説明する。本発明は、上部のコーナー部であって、コーナー部の角度が小さいために、ドアガラスを上昇させたときにグラスラン本体の底面リップが切れ易い部分に適用される。
【００２０】
（ａ）実施の形態１
図２は自動車のフロントドア１とリアドア２とを示すものである。フロントドア１には、昇降可能なドアガラス３が設けられている。ドアガラス３を支持するサッシュ部のうちの、車体の前後方向に沿って設けられた上端部位（ルーフ側）４ａの断面図であるＡ−Ａ矢視断面図と、車体の上下方向に沿って設けられた後側部位（ピラー側）４ｂの断面図であるＢ−Ｂ矢視断面図とを図３（ａ）（ｂ）に示す。
【００２１】
図３（ａ）（ｂ）のように、サッシュ部の上端部位４ａ，後側部位４ｂは、ドア本体を形成しているアウタパネルやインナパネルと共に形成されていて、上端部位４ａ，後側部位４ｂの凹部４ｃ、４ｄに、押出成形によりソリッドゴム若しくは樹脂にて成形されたドアグラスラン本体５，６が嵌合されている。ドアグラスラン本体５は、下向きに開口した断面略コ字状であり、ドアガラス３の側端縁に当接する底面リップ５ａと、内面に当接するインナリップ５ｂと、外面に当接するアウタリップ５ｄとを有する。一方、ドアグラスラン本体６は、横向きに開口した断面略コ字状であり、ドアガラス３の側端縁に当接する底面リップ６ａと、内面に当接するインナリップ６ｂと、外面に当接するアウタリップ６ｄとを有する。図３（ａ）中、１０はサッシュカバー、１１はサッシュモールであり、図３（ｂ）中、１２，１３はサッシュカバーである。
【００２２】
これらのドアグラスラン本体（押出成形部）５とドアグラスラン本体（押出成形部）６とを図示しない成形金型に挿入した上で、ソリッドゴムあるいは樹脂を注入して屈曲部分であるコーナー部（型成形部）を成形することにより、図１（ａ）に示すように、コーナー部７を介してドアグラスラン本体５とドアグラスラン本体６とが接合部８，９で結合され一体化されている。コーナー部７の内部には、底面リップ５ａと底面リップ６ａとを接続する底面リップ７ａと、インナリップ５ｂとインナリップ６ｂとを接続するインナリップ７ｂと、アウタリップ５ｄとアウタリップ６ｄとを接続するアウタリップ７ｄとが夫々設けられている。
【００２３】
ここで、接合部８における底面リップ５ａと底面リップ７ａとの関係を説明する。底面リップ７ａは底面リップ５ａと分離され、底面リップ７ａは底面リップ５ａの上方に配置されている。図示しないドアガラスを上昇させて閉じると、底面リップ５ａの先端部５ａｘはドアガラスに押されて上昇して上方へ撓むことから、底面リップ７ａの先端部７ａｘは、底面リップ５ａの先端部５ａｘが「撓んだときの位置」と撓んだときの位置よりも下方であって現実に撓んだ時に前記「撓んだときの位置」を占め得る位置との間に設定される。本実施の形態では、先端部７ａｘは、先端部５ａｘが「撓んだときの位置」よりも下方であって現実に撓んだ時に前記「撓んだときの位置」を占め得る位置に設定されている。
【００２４】
そして、図１（ｂ），（ｃ）に示すように、底面リップ７ａの端部には、撓んだ底面リップ５ａの先端部５ａｘの端部近傍が重合可能な先端部７ｅｘを有する延長リップ７ｅが、底面リップ５ａとほぼ平行に一体成形されている。底面リップ５ａ，延長リップ７ｅの基端部と先端部との中間位置よりも先端側である先端部５ａｘ，先端部７ｅｘは相互に相手側である先端部７ｅｘあるいは先端部５ａｘと重合するようになっており、先端部５ａｘはドアガラス３の側端縁に当接する。
【００２５】
図５（ａ）に示すように、延長リップ７ｅの先端部７ｅｘの下面を斜めにカットしてテーパ面７ｆが形成され、先端部７ｅｘの厚さ寸法が、先端へ向かうにつれて順次に小さくなっている。これは、ドアガラス３が閉じたときに、ドアガラス３に押されて上昇した底面リップ５ａの先端部５ａｘの端部近傍が延長リップ７ｅの先端部７ｅｘと重合して密着するようにしたものである。この延長リップ７ｅは、コーナー部７を型成形する際に、コーナー部７の底面リップ７ａと一体成形される。
【００２６】
一方、図１の他方の接合部９における底面リップ６ａと底面リップ７ａとの関係も、接合部８と同様に構成されている。即ち、底面リップ７ａは底面リップ６ａと分離され、底面リップ７ａは底面リップ６ａの上方に配置され、底面リップ７ａの端部には、延長リップ７ｇが底面リップ６ａとほぼ平行に一体成形されている。詳細は接合部８と同様であるため、説明を省略する。
【００２７】
次に、自動車用ドアグラスランの作用を説明する。接合部８では、図５（ａ）に示すようにドアガラスが下がって開状態にあるときは、ドアガラスによる押圧がないので、底面リップ５ａの先端部５ａｘの端部近傍は延長リップ７ｅの先端部７ｅｘから離れている。次に、図５（ｂ）に示すように、ドアガラスが上昇して閉じた状態では、ドアガラス３の上面の側端縁が底面リップ５ａの先端部５ａｘの端部近傍を上方へ押圧するので、底面リップ５ａの先端部５ａｘの端部近傍が延長リップ７ｅの先端部７ｅｘに圧接される。このとき、先端部５ａｘがテーパ面７ｆに密着し、先端部５ａｘと先端部７ｅｘとが滑らかに重合して両者間の段差が小さく、ドアガラス３と底面リップ５ａ，７ａとの間の気密性・遮音性が確保される。
【００２８】
このときの動きを図３（ａ）と対応する図４に基づいて説明する。ドアガラス３が開状態のときには、図４に実線で示すように延長リップ７ｅの下方位置に底面リップ５ａが存在し、該底面リップ５ａは延長リップ７ｅから離れている。一方、ドアガラス３が上昇して閉状態になると、底面リップ５ａの先端部５ａｘがドアガラス３に押されて上昇し、底面リップ５ａの先端部５ａｘが二点鎖線で示すように延長リップ７ｅの先端部７ｅｘと重合する。先端部５ａｘと先端部７ｅｘとが一体化し、底面リップ５ａと底面リップ７ｅとによるシールの気密性・遮音性が保持される。
【００２９】
接合部９における延長リップ７ｇと底面リップ６ａとについても、前記と同様に作用するので、説明を省略する。
【００３０】
（ｂ）実施の形態２
次に、実施の形態２を図６に基づいて説明する。
【００３１】
実施の形態１は接合部８，９に設けた延長リップにテーパを設けたものであるが、実施の形態２は図６（ａ）に示すように、接合部８における延長リップ７ｅの先端部７ｅｘのドアガラス側の面を切り欠いて先端部７ｅｘの全体を均等に薄くしたものである。接合部９においても、接合部８と同様に構成されている。
【００３２】
この場合は、ドアガラスが上昇すると、図６（ｂ）に示すように延長リップ７ｅの先端部７ｅｘに底面リップ５ａの先端部５ａｘの端部近傍が密着し、先端部５ａｘと先端部７ｅｘとの重合部の全体が薄くなって段差αが小さく、ドアガラスと底面リップ５ａ，７ａとの間の気密性・遮音性が確保される。接合部９においても、接合部８と同様の作用となる。
【００３３】
（ｃ）実施の形態３
次に、実施の形態３を図７に基づいて説明する。実施の形態２は接合部８，９の夫々における一方側であるコーナー部７に延長リップを設けたものであるが、実施の形態３は他方側であるドアグラスラン本体５，６に延長リップを設けたものである。
【００３４】
即ち、図７（ａ）の接合部８では、底面リップ５ａと底面リップ７ａとの関係は以下のようになっている。底面リップ５ａと底面リップ７ａとの相対的な位置関係は前記と同じであるが、実施の形態３では図７（ｂ）に示すように、底面リップ５ａの端部に延長リップ５ｅが一体成形されている。
【００３５】
ドアガラス３が上昇した閉状態では、ドアガラスに押されて上昇した延長リップ５ｅの先端部５ｅｘが底面リップ７ａの先端部７ａｘの端部近傍と重合して密着するように、図８（ａ）に示すように、延長リップ５ｅの先端部５ｅｘと底面リップ７ａの先端部７ａｘの端部近傍との双方の対向面を斜めにカットしてテーパ面５ｆ，７ｆが形成されている。つまり、先端部５ｅｘと先端部７ａｘとの厚さ寸法が、先端へ向かうにつれて順次に小さくなっている。延長リップ５ｅと、底面リップ７ａのテーパ面７ｆとは、コーナー部７を型成形する際に、底面リップ５ａ，コーナー部７と夫々一体成形される。延長リップ５ｅは、押出成形部であるグラスラン本体５の底面リップ５ａの端部に形成することになるが、その形成長さは極めて短いため、底面リップの接着剥がれは発生しにくい。
【００３６】
一方、図７の接合部９での底面リップ６ａ，底面リップ７ａおよび延長リップ６ｅの関係も接合部８と同様に構成されているため、説明を省略する。なお、延長リップ６ｅの先端部および底面リップ７ａの先端部の端部近傍も、接合部８と同様にテーパ面が形成されている。
【００３７】
次に、自動車用ドアグラスランの作用を説明する。図８（ａ）に示すように、ドアガラスが下がって開状態にあるときは、ドアガラスによる押圧がないので、延長リップ５ｅは底面リップ７ａから離れている。次に、ドアガラスが上昇して閉じた状態では、図８（ｂ）に示すように、ドアガラスの上面の側端縁が延長リップ５ｅの先端部５ｅｘを上方へ押圧するので、先端部５ｅｘが先端部７ａｘに圧接される。このとき、テーパ面５ｆがテーパ面７ｆに密着し、先端部５ｅｘと先端部７ａｘとが滑らかに重合して両者間の段差βが小さいので、ドアガラスと底面リップ５ａ，７ａとの気密性・遮音性が確保される。
【００３８】
接合部９における延長リップ６ｅと底面リップ７ａとについても、前記と同様に作用するので、説明を省略する。
【００３９】
なお、実施の形態１〜３は、フロントドアのルーフ側とピラー側とのコーナー部に本発明を適用したものであるが、リアドアのルーフ側とピラー側とのコーナー部に適用してもよく、あるいはフロントドアのフロント側のコーナー部やリアドアのリヤ側のコーナー部に適用してもよい。また、実施の形態１〜３は、型成形部内の底面リップの先端部の位置を押出成形部内の底面リップの先端部が撓んだときの位置よりも下方であって撓んだ時に前記「撓んだときの位置」を占め得る位置に設定したが、図９に示すように型成形部内の底面リップの先端部の位置を「撓んだときの位置」に設定してもよい。この場合は、型成形部内の底面リップの延長である延長リップの先端部７ｅｘの位置が、底面リップの先端部５ａｘの「撓んだときの位置」である二点鎖線で示した位置と重なることになる。更に、実施の形態３においては底面リップの先端部の端部近傍と延長リップの先端部との双方にテーパ面を形成したが、いずれか一方に形成してもよく、あるいはいずれもテーパ面を形成することなくストレートに延ばしてもよい。
【図面の簡単な説明】
【００４０】
【図１】自動車用ドアグラスランのコーナー部に係り、（ａ）は斜視図、（ｂ）は（ａ）のＣ−Ｃ矢視図、（ｃ）は（ａ）のＤ−Ｄ矢視図（実施の形態１）。
【図２】自動車のドアを示す正面図（実施の形態１）。
【図３】（ａ）は図２のＡ−Ａ矢視図、（ｂ）は図２のＢ−Ｂ矢視図（実施の形態１）
【図４】自動車用ドアグラスランの接合部での作用説明図（実施の形態１）。
【図５】自動車用ドアグラスランの作用説明図（実施の形態１）。
【図６】自動車用ドアグラスランの作用説明図（実施の形態２）。
【図７】自動車用ドアグラスランのコーナー部に係り、（ａ）は斜視図、（ｂ）は（ａ）のＥ−Ｅ矢視図（実施の形態３）。
【図８】自動車用ドアグラスランの作用説明図（実施の形態３）。
【図９】自動車用ドアグラスランの接合部での作用説明図（その他の実施の形態）
【符号の説明】
【００４１】
３…ドアガラス
５，６…グラスラン本体（押出成形部）
５ａ，６a，７ａ…底面リップ
７…コーナー部（型成形部）
５ｅ，６ｅ，７ｅ，７ｇ…延長リップ
５ａｘ，５ｅｘ，７ａｘ，７ｅｘ…先端部
５ｆ，７ｆ…テーパ面
【図１】
2006240335.tif 000003
【図２】
2006240335.tif 000004
【図３】
2006240335.tif 000005
【図４】
2006240335.tif 000006
【図５】
2006240335.tif 000007
【図６】
2006240335.tif 000008
【図７】
2006240335.tif 000009
【図８】
2006240335.tif 000010
【図９】
2006240335.tif 000011